(57)【要約】【課題】  手から釣竿を滑らせることを効果的に阻止できると共に、釣竿と釣人の手が強固に連結される補助具を提供することである。【解決手段】  柔軟性及び伸縮性を有する材料でバンド状体に形成され、釣竿８に着脱自在であり、少なくとも２つの竿通し穴４，５を有し、材料の柔軟性及び又は伸縮性によりそれらの竿通し穴を広げることが可能であって、釣竿の握り部９を２つの竿通し穴４,５に挿通したときに、補助具１と握り部９との間に、手指の少なくとも薬指と小指を一緒に挿通させることを可能とする挿通路１１が構成される。【選択図】  図４
2019170227.tif 000002
【特許請求の範囲】
【請求項１】
釣竿を持つときの補助具であって、柔軟性及び伸縮性を有する材料でバンド状体に形成され、釣竿に着脱自在であり、少なくとも２つの竿通し穴を有し、材料の柔軟性及び又は伸縮性によりそれらの竿通し穴を広げることが可能であって、釣竿の握り部を２つの竿通し穴に挿通したときに、補助具と握り部との間に、手指の少なくとも薬指と小指を一緒に挿通させることを可能とする挿通路が構成されることを特徴とする補助具。
【請求項２】
釣竿の握り部を２つの竿通し穴に挿通したときに、補助具と握り部との間に、手指の人差し指から小指までの指を一緒に挿通させることを可能とする挿通路が構成される請求項１記載の補助具。
【請求項３】
竿通し穴は円形である請求項１又は請求項２記載の補助具。
【請求項４】
内径の異なる竿通し穴を有し、釣竿の握り部を２つの竿通し穴に挿通するときに、内径の異なった２つの竿通しに挿通可能である請求項３記載の補助具。
【請求項５】
２つの竿通し穴が、それぞれ補助具の両端部に形成されている請求項１乃至請求項４のいずれか一項記載の補助具。
【請求項６】
少なくとも一方の端部に形成された竿通し穴の、その端部と反対側に隣接してさらに竿通し穴が形成されている請求項５記載の補助具。
【請求項７】
磁石が取り付けられている請求項１乃至請求項６のいずれか一項記載の補助具。
【発明の詳細な説明】
【技術分野】
【０００１】
本発明は、釣竿を持つときに使用される補助具に関する。
【背景技術】
【０００２】
釣人が釣竿を持って釣りをする際に、手から釣竿を滑らせたり、釣竿を持った状態で釣針に餌を付けようとするときに釣竿を手から離してしまったりして、川や海に釣竿を流してしまう虞があった。
【０００３】
従来の釣竿では、手から釣竿を滑らせることを防止するために、釣竿のグリップの表面に滑り止め加工が施されている（例えば、特許文献１参照）。しかし、滑り止め加工では、釣竿を持った状態で釣針に餌を付けるときに釣竿を手から離してしまった場合には対処することができない。
【０００４】
そこで、釣竿のグリップに挟持部材を取り付け、釣人の手のひら側を挟持することにより、釣竿が手から離れることを防止する機構を有する釣竿が提案されている（例えば、特許文献２）。釣人の手のひら側を挟持する方法としては、釣人がグローブを使用するときは、釣人がグリップを握ったときに、グローブの生地が挟持部材間に自動的に挟み込まれて、釣竿と釣人の手が連結される。この場合、グローブを使用することが前提であるから、素手で釣竿を持つときはそのような連結をすることができない。釣人がグローブを使用しないときは、釣人の手の肉が挟持部材間に挟み込まれることにより、釣竿と釣人の手が連結される。しかし、手の肉を挟むことにより釣竿と釣人の手が連結する場合、挟持力が強い時は手が痛くなるので、強い挟持力が得られず、容易に連結が外れる虞がある。
【先行技術文献】
【特許文献】
【０００５】
【特許文献１】特開２００３-１１６４２１号公報
【特許文献２】特開２００５-９５０９８号公報
【発明の概要】
【発明が解決しようとする課題】
【０００６】
本発明の目的は、手から釣竿を滑らせることを効果的に阻止できると共に、釣竿と釣人の手が強固に連結される補助具を提供することである。
【課題を解決するための手段】
【０００７】
請求項1記載の発明は、柔軟性及び伸縮性を有する材料でバンド状体に形成され、釣竿に着脱自在であり、少なくとも２つの竿通し穴を有し、材料の柔軟性及び又は伸縮性によりそれらの竿通し穴を広げることが可能であって、釣竿の握り部を２つの竿通し穴に挿通したときに、補助具と握り部との間に、手指の少なくとも薬指と小指を一緒に挿通させることを可能とする挿通路が構成される構成である。
【０００８】
請求項２記載の発明は、釣竿の握り部を２つの竿通し穴に挿通したときに、補助具と握り部との間に、手指の人差し指から小指までの指を一緒に挿通させることを可能とする挿通路が構成される構成であり、請求項３記載の発明は、竿通し穴が円形である構成である。
【０００９】
請求項４記載の発明は、内径の異なる竿通し穴を有し、釣竿の握り部を２つの竿通し穴に挿通するときに、内径の異なった２つの竿通しに挿通可能である構成である。
【００１０】
請求項５記載の発明は、２つの竿通し穴が、それぞれ補助具の両端部に形成されている構成である。
【００１１】
請求項６記載の発明は、少なくとも一方の端部に形成された竿通し穴の、その端部と反対側に隣接してさらに竿通し穴が形成されている構成である。
【００１２】
請求項７記載の発明は、磁石が取り付けられている構成である。
【発明の効果】
【００１３】
請求項１記載の発明は、釣竿の握り部を２つの竿通し穴に挿通したときに、補助具と握り部との間に、手指の少なくとも薬指と小指を一緒に挿通させることを可能とする挿通路が構成されるものである。前記２つの特許文献１，２は、滑り止め手段又は釣竿と手の連結手段が、手のひら側と釣竿の間に存在するものである。これに対して、本発明では、それらの手段が手のひらでなく、指の甲側と、その甲側に宛がわれる補助具との間に存在する。これにより、手指はその外側から補助具に押し付けられるので、手で釣竿を持ったとときの安定性が非常に高くなり、釣竿と手の強固な連結手段となり得るのである。また、手指の甲側にある補助具が釣竿の軸方向に沿っての手の滑りを有効に防止するので、手が滑って釣竿を落として流してしまうことを極めて効果的に防止することができる。
【００１４】
請求項２記載の発明は、釣竿の握り部を２つの竿通し穴に挿通したときに、補助具と握り部との間に、手指の人差し指から小指までの指を一緒に挿通させることを可能とする挿通路が構成される。したがって、各指の太さを合計した幅をもって釣竿を握るので、手に対する釣竿の固定度が増し、釣竿を持った状態で釣針に餌を付けるときの釣竿の揺動を効果的に防止できる。
【００１５】
請求項４記載の発明は、内径の異なる竿通し穴を有し、釣竿の握り部を２つの竿通し穴に挿通するときに、内径の異なった２つの竿通しに挿通可能である。したがって、補助具を竿尻側から竿に取り付けるときに、最初に大きい方の竿通し穴に竿を挿通させれば、穴が大きいので竿を挿通させやすく、次に小さい方の穴に挿通させるときにややきつめになっても、小さい方の穴の移動はわずかであるから、容易に補助具を取り付けることができる。仮に、２つの竿通し穴の内径が同じで、共に、釣竿の挿通がきつめであるときは、竿を最初に挿通させた穴を釣竿の竿先方向に移動させるときに、摩擦力の影響で容易に移動させることができないのである。
【００１６】
請求項６記載の発明は、少なくとも一方の端部に形成された竿通し穴の、その端部と反対側に隣接してさらに竿通し穴が追加されて形成されている。したがって、端部側の竿通し穴に代えて、追加された方の竿通し穴に釣竿を挿通させたときは、指を挿通させる挿通路が狭くなるので、挿通させる指の本数を減らして使用することができる。また、手の小さな子供や女性が使用するときに適応させることができる。さらに、魚を釣る際に魚の当たりを敏感に感知ことが必要とされる場合も、挿通路に挿通させる指の本数を少なくして使用することができる。
【図面の簡単な説明】
【００１７】
【図１】本発明の正面図である。
【図２】図１におけるＡ−Ａ断面図である。
【図３】補助具を釣竿に取り付けた状態を示す図である。
【図４】釣竿を持った状態を示す斜視図である。
【図５】本発明の他の実施例を示す正面図である。
【発明を実施するための形態】
【００１８】
次に、本発明の実施例について図面を参照しながら説明する。補助具１は、柔軟性及び伸縮性を有する材料でバンド状に一体に形成されている。補助具１が柔軟性及び伸縮性を有する材料で形成されているので、当然のことであるが、補助具１自体も柔軟性及び伸縮性を有している。柔軟性及び伸縮性を有する材料としてシリコーン樹脂を用いているが、これに限定されるものでなく、柔軟性及び伸縮性を有する他の合成樹脂等であってもよい。
【００１９】
補助具１の両端部にリング状部２，３が形成され、そのリング状部２，３により竿通し穴４，５が構成されている。一方の竿通し穴４の内径は、他方の竿通し穴５の内径よりも大きく形成されている。補助具１は、柔軟性及び伸縮性を有しているので、補助具１の両リング状部２，３の間の胴部６は引き延ばし可能であるが、リング状部２，３の断面積は胴部６の断面積よりも小さいので、胴部６よりも容易に引き延ばすことができる。
【００２０】
補助具１の胴部６の内部には磁石７が取り付けられている。磁石は磁力の強いネオジム磁石であるが、ネオジム磁石と異なる他の磁力の強い磁石を用いることもできる。したがって、竿を手に持って他の作業をする場合や、竿を手から離して立てかけたり地面に置いたりした場合に、釣り糸の取り付けられている釣針を磁石によって補助具１に吸着できるので、次に釣針を持つときに便利である。
【００２１】
次に、本発明の使用方法について説明する。使用に際して、まず、補助具１を釣竿８の握り部９に取り付ける。本実施例では、一方の竿通し穴４が他方の竿通し穴５よりも大きく形成されており、この場合は、最初に大きな竿通し穴４に釣竿８をその竿尻１０側から挿し込み、次に小さな竿通し穴５に挿し込むことによって釣竿８を２つの竿通し穴４，５に挿通させる。最初に大きい竿通し穴４に挿通させる理由は、大きい竿通し穴４の方が握り部９上を移動させやすいので、移動距離の長い竿通し穴として、移動させやすい竿通し穴４に最初に挿通させるのである。
【００２２】
本実施例では、一方の竿通し穴４の内径が握り部９の外径よりも大きく形成されているので、握り部９は竿通し穴４に緩めに挿通され、リング状部２は引張り状態とはならない。これに対して、他方の竿通し穴５の内径は握り部５の外径よりもやや小さく形成されているので、装着されたリング状部３にやや引っ張り力が生じる。これに対して、双方の竿通し穴４，５の内径が握り部９の外径よりも大きく形成されている場合は、リング状部２，３に引っ張り力が生じない。また、双方の竿通し穴４，５の内径が握り部９の外径よりも小さく形成されている場合は、リング状部２，３にやや引っ張り力が生じる。これらの場合、あるいは前述した本実施例の場合において、リング状部２，３に引っ張り力の有無について差異があるが、いずれの場合も補助具１を使用することができる。
【００２３】
図３に示すように、補助具１が握り部９に装着されると、補助具１と握り部９との間に指の挿通路１１が形成される。そして、この挿通路１１に人差し指から小指までの４本の指を、図４に示すように、４本の指の第二間接と第三間接の間に補助具１が接するまで挿通すると、補助具１がやや引張り加減の状態となって、指をその甲側から握り部９に押し付ける。これにより、手で釣竿を持ったとときの安定性が非常に高くなり、釣竿と手の強固な連結手段となり得るのである。また、指は、その第二間接と第三間接の間で補助具１により押し付けられているので、第一関節と第二間接は自由に動かすことができるから、竿を持っている手の指先で餌を持ち、他方の指先で釣針を持って餌を釣針に付けることができ、その際、竿と手が強固に連結されているから竿を落として流してしまうことを効果的に防止できる。
【００２４】
図５は、本発明の他の実施例を示している。この実施例は、前述した実施例に、さらに第三の竿通し穴１２を、端部に形成された竿通し穴５に隣接して形成したものである。これにより、釣竿の握り部９を竿通し穴４と竿通し穴１２に挿通させて使用することができる。その際、使用されない竿通し穴５をリング状部３は、竿を持つ手よりも竿尻１０側にあるので、釣りや釣針への餌付けの邪魔にならない。また、補助具１３と握り部９との間に形成される指の挿通路が狭くなるので、中指から小指までの３本の指を挿通して使用するときに、竿と手を強固に連結することができる。さらに、人差し指が補助具１３に押し付けられないので人差し指が自由となり、人差し指を使った作業を円滑に行うことができる。
【００２５】
なお、本発明は前述した構成に基づいて種々の態様をとることが可能である。例えば、竿通し穴の大きさは同じであってもよい。竿通し穴の形状は円形に限定されるものでなく、例えば長円形であってもよく、卵型であってもよい。また、最も端部寄りにある竿通し穴を両端よりもやや内側に形成してもよい。
【産業上の利用可能性】
【００２６】
本発明の補助具は、釣竿に取り付けることにより、釣竿を持った指を甲側から竿の握り部に押し付けて、竿と手の連結を強固なものとすることができるものであって、市販されている種々の釣竿に適合させることができる。
【符号の説明】
【００２７】
１  補助具、    ２  リング状部、    ３  リング状部、    ４  竿通し穴、    ５  竿通し穴、    ６  胴部、    ７  磁石、    ８  釣竿、    ９  握り部、    １０  竿尻、    １１  挿通路、    １２  竿通し穴、    １３  補助具
【図１】
2019170227.tif 000003
【図２】
2019170227.tif 000004
【図３】
2019170227.tif 000005
【図４】
2019170227.tif 000006
【図５】
2019170227.tif 000007